(57)【要約】      （修正有）【課題】安定した高い固定力で頭部へ取り付けることができ、かつ装着していることが露見されにくい増毛具を提供する。【解決手段】塑性変形可能な管部材１０と、管部材に取り付けられた複数の擬毛２０と、を備え、擬毛が、管部材の周壁に巻き付けられた巻付領域２２と、巻付領域に繋がった結び目２４と、結び目から外方へ延在し自由端に至る延在領域２６から構成されている。管部材を頭部に残存した自毛に通した後、管部材を潰して塑性変形させることにより、増毛具を頭部に高い固定力で安定して取り付けることができる。更に、擬毛の巻付領域及び結び目によって、管部材の外周壁や端面を覆うことができるので、擬毛が持ち上がった場合でも、管部材が露見するのを防ぐことができる。【選択図】図１
0003213956.tif 000002
【実用新案登録請求の範囲】
【請求項１】
塑性変形可能な管部材と、
前記管部材に取り付けられた複数の擬毛と、
を備え、
前記擬毛が、前記管部材の周壁に巻き付けられた巻付領域と、前記巻付領域に繋がった結び目と、前記結び目から外方へ延在し自由端に至る延在領域から構成されることを特徴とする増毛具。
【請求項２】
前記管部材に取り付ける前記擬毛の数が、前記擬毛により前記管部材の外周壁の略全領域が覆われ、かつ前記管部材の内部に装着者の自毛の束が挿入可能な空間を有することを特徴とする請求項１に記載の増毛具。 
【請求項３】
前記結び目が管部材の端面上に位置していることを特徴とする請求項１または２に記載の増毛具。 
【請求項４】
前記延在部において、前記結び目に隣接して前記擬毛が捻られた捻れ領域を有することを特徴とする請求項１から３の何れか1項に記載の増毛具。
【請求項５】
前記結び目がシングルパンダブル植えによるものであることを特徴とする請求項１から４の何れか１項に記載の増毛具。
【請求項６】
前記管部材の外周面が、前記擬毛に近似した色を有することを特徴とする請求項１から５の何れか１項に記載の増毛具。
【考案の詳細な説明】
【技術分野】
【０００１】
本考案は、着用者の自毛に固定して増毛効果を得る増毛具に関する。
【背景技術】
【０００２】
近年、ヘアファッションの１つであるヘアエクステンションを含め、頭部に残る自毛を活用した増毛具が広く用いられている。そのような増毛具の中には、金属スリーブ内に自毛及び擬毛を挿入した後、金属スリーブを潰して、擬毛を自毛に取り付ける増毛方法が提案されている（例えば、特許文献１参照）。
【先行技術文献】
【特許文献】
【０００３】
【特許文献１】特開平１０−５３９１２号
【考案の概要】
【考案が解決しようとする課題】
【０００４】
特許文献１に記載の増毛方法では、押しつぶした金属チューブと自毛または擬毛との間の摩擦力だけで位置を保持するので、装着時に擬毛が金属チューブから滑り落ちたり、金属チューブ自体が自毛から滑り落ちたりする虞がある。また、金属チューブの外面が露出しているので、擬毛を取り付けていることが露見し易くなる。
【０００５】
本考案は、上記の課題を解決するものであり、本考案の目的は、安定した高い固定力で頭部へ取り付けることができ、かつ装着していることが露見されにくい増毛具を提供することを目的とする。
【課題を解決するための手段】
【０００６】
上記の課題を解決するため、本考案の１つの実施態様に係る増毛具は、
塑性変形可能な管部材と、
前記管部材に取り付けられた複数の擬毛と、
を備え、
前記擬毛は前記管部材の周壁に巻き付けられて結び目にて固定されるとともに、前記結び目から外方へ延在し自由端に至る延在部を有する。
【考案の効果】
【０００７】
以上のように、本考案においては、安定した高い固定力で頭部へ取り付けることができ、かつ装着していることが露見されにくい増毛具を提供することができる。
【図面の簡単な説明】
【０００８】
【図１】本考案の１つの実施形態に係る増毛具を模式的に示す斜視図である。
【図２】本考案のその他の実施形態に係る増毛具を模式的に示す斜視図である。
【図３】擬毛が管部材の周壁に巻き付けられて固定された状態を模式的に示す側面断面図である。
【図４】シングルパンダブル植えによる結び目の形成方法を説明するための模式図である。
【図５】本考案の実施形態に係る増毛具の装着方法を説明するための模式図である。
【考案を実施するための形態】
【０００９】
本考案の実施態様１に係る増毛具は、
塑性変形可能な管部材と、
前記管部材に取り付けられた複数の擬毛と、
を備え、
前記擬毛が、前記管部材の周壁に巻き付けられた巻付領域と、前記巻付領域に繋がった結び目と、前記結び目から外方へ延在し自由端に至る延在領域から構成される。
【００１０】
本実施態様では、管部材を頭部に残存した自毛に通した後、管部材を潰して塑性変形させることにより、増毛具を頭部に高い固定力で安定して取り付けることができる。
更に、管部材に巻き付けられた擬毛の巻付領域及び結び目によって、管部材の外周壁や端面を覆うことができるので、仮に、擬毛が持ち上がったような場合であっても、管部材が露見するのを防ぐことができる。
【００１１】
以上のように、本実施態様では、安定した高い固定力で頭部へ取り付けることができ、かつ装着していることが露見されにくい増毛具を提供することができる。
【００１２】
本考案の実施態様２に係る増毛具は、上記の実施態様１において、
前記管部材に取り付ける前記擬毛の数が、前記擬毛により前記管部材の外周壁の略全領域が覆われ、かつ前記管部材の内部に装着者の自毛の束が挿入可能な空間を有する。
【００１３】
本実施態様では、擬毛の数が、擬毛により管部材の外周壁の略全領域が覆われ、かつ管部材の内部に装着者の自毛の束が挿入可能な空間を有するので、管部材が露見するのを効果的に防ぐとともに、確実に増毛具を装着者の自毛に固定することができる。
【００１４】
本考案の実施態様３に係る増毛具は、上記の実施態様１または２において、
前記結び目が管部材の端面上に位置している。 
【００１５】
本実施態様では、結び目が管部材の端面上に位置しているので、管部材の端面を覆うとともに、結び目を起点として、管部材の端面から擬毛の延在領域が延びているので、自然な外観を得ることができる。
【００１６】
本考案の実施態様４に係る増毛具は、上記の実施態様１から３の何れかにおいて、
前記延在部において、前記結び目に隣接して前記擬毛が捻られた捻れ領域を有する。
【００１７】
本実施態様では、結び目に隣接して擬毛が捻られた捻れ領域を有するので、擬毛の延在領域が様々な方向に広がって延びて、よりボリューム感のある外観を得ることができる。
【００１８】
本考案の実施態様５に係る増毛具は、上記の実施態様１から４の何れかにおいて、
前記結び目がシングルパンダブル植えによるものである。
【００１９】
本実施態様では、結び目がシングルパンダブル植えによるものなので、結び目がほどけにくく、安定した高い固定力を得ることができる。
【００２０】
本考案の実施態様６に係る増毛具は、上記の実施態様１から５の何れかにおいて、
前記管部材の外周面が、前記擬毛に近似した色を有する。
【００２１】
擬毛で管部材の周壁を覆うことにより、管部材が露見するのを防ぐことができるが、本実施態様では、仮に管部材の一部が擬毛で覆われていない状態が生じても、管部材が露見するのを抑制することができる。
【００２２】
以下に、本考案の実施形態を、添付の図面を参照しながら説明する。
（本考案の実施形態に係る増毛具）
はじめに、図１から図３を参照しながら、本考案の実施形態に係る増毛具の説明を行う。図１は、本考案の１つの実施形態に係る増毛具を模式的に示す斜視図であり、図２は、本考案のその他の実施形態に係る増毛具を模式的に示す斜視図である。図３は、擬毛が管部材１０の周壁に巻き付けられて固定された状態を模式的に示す側面断面図である。
【００２３】
本考案の１つの実施形態及びその他の実施形態ともに、増毛具２が、塑性変形可能な管部材１０と、管部材１０に取り付けられた複数の擬毛（人工毛または天然毛）２０とを備える。擬毛２０は、管部材１０の周壁に巻き付けられ、管部材１０の端面１０A上の位置で結び付けられて結び目２４が形成され、これにより管部材１０に取り付けられる。図３に示すように、擬毛２０が、管部材１０の外周壁１０Ｂ、端面１０Ｄ及び内周壁１０Ｃに接するように巻き付けられ、端面１０Aで結び付けられて結び目２４が形成されている。
【００２４】
この結び目２４から、一方の延在領域２６Ａ及び他方の延在領域２６Ｂが延びている。一方の延在領域２６Ａ及び他方の延在領域２６Ｂの総称として、延在領域２６と称することができる。以上のように、擬毛２０は、管部材１０の周壁に巻き付けられた巻付領域２２と、巻付領域２２に繋がった結び目２４と、結び目２４から外方へ延在し自由端に至る延在領域２６（２６Ａ、２６Ｂ）とから構成される。
【００２５】
装着者の自毛を擬毛２０が取り付けられた増毛具２の管部材１０の中に挿入した後、プライヤー等を用いて潰すように塑性変形させることにより、増毛具２を自毛に固定することができる。管部材１０の内周壁１０Ｃ側に位置する擬毛２０が、通された自毛に対してアンカー効果（すなわち、擬毛２０が自毛の束に入り込んで圧接する効果）を与えるので、より安定して固定することができる。
【００２６】
結び目２４の両側から延びた一方の延在領域２６Ａ及び他方の延在領域２６Ｂは、用途に応じて、それぞれ任意の長さを有することができる。例えば、一方の延在領域２６Ａ及び他方の延在領域２６Ｂの長さの比が２：１程度にすることもできるし、ほぼ同様な長さ（１：１の比率）にすることもできる。また、どちらかの延在領域２６Ａ（Ｂ）が結び目２４からほとんど延びていないようにすることもできる。
【００２７】
図１に示す１つの実施形態では、擬毛の２０の延在領域２６が、結び目２４からほぼストレートに（特別な曲げ加工をしないで）延びている。よって、増毛具２を自毛に装着した後、擬毛２０を自然な外観で所望の方向に向けて延ばすことができる。
一方、図２に示すその他の実施形態では、擬毛の２０の延在領域２６において、結び目２４に隣接して擬毛２０が捻られた捻れ領域２８を有する。よって、捻れ領域２８により、擬毛２０の延在領域２６が様々な方向に広がって延びて、よりボリューム感のある外観を得ることができる。
なお、この捻れ領域２８は、用途に応じて任意の長さを有することができる。
【００２８】
擬毛２０は、管部材１０の内側に通して結び付けることで、擬毛２０を管部材１０に固定するが、結び目２４は、管部材１０の端面１０A上に位置させることが好ましい。その理由は次の通りである。
（ア）仮に、結び目２８が管部材１０の内側に位置すると、後に自毛を管部材１０内に通し管部材１０を潰して固定する場合に、結び目２８によって隙間が生じ、その結果、固定力が低下する懸念がある。
（イ）もし、結び目２８が管部材１０の外側に位置する場合には、装着時に管部材１０と頭部の間に結び目が２４存在するので、装着者が違和感を感じたり、自然な擬毛の流れが形成できない虞がある。
（ウ）結び目２４が管部材１０の端面１０Ａ上に位置している場合には、結び目２４が管部材１０の端面１０Ａを覆うとともに、結び目２４を起点として、管部材１０の端面１０Ａから擬毛２０の延在領域２６Ａ、Ｂが延びているので、自然な外観を得ることができる。
【００２９】
管部材１０の寸法として、例えば、以下の寸法を採用することができる。
内径（ｄ）＝１．０ｍｍ
肉厚（ｔ）＝０．２５ｍｍ
高さ（ｈ）＝２．０ｍｍ
ただし、  本考案における管部材１０の寸法は上記に限られるものではなく、用途に応じてその他の任意の寸法を採用することができる。
材質：銅
【００３０】
管部材１０の材質として、銅を用いることが考えられる。銅材料は延性に富むので、自毛に固定された増毛具２を、管部材１０を広げて取り外した後、管部材１０に自毛を通して塑性変形させて、再び増毛具２を自毛に固定できる場合もあり得る。
管部材１０の材質として銅に限られるものではなく、自毛を通して塑性変形させることができるものであれば、アルミ等の金属材料を含む、その他の任意の材料を採用することができる。
【００３１】
管部材１０に取り付ける擬毛２０の数は、擬毛２０により管部材１０外周壁の略全領域が覆われ、かつ管部材１０の内部に装着者の自毛の束が挿入可能な空間を有することができる本数が好ましい。これにより、管部材１０が露見するのを効果的に防ぐとともに、確実に増毛具２を装着者の自毛に固定することができる。
上記の寸法の管部材１０に取り付ける擬毛２０の数としては、４０から６０本を例示することができるが、これに限られるものではない。擬毛２０の太さによっても、取り付ける擬毛２０の数は異なる。
【００３２】
図３に示すように、擬毛２０により、管部材１０の外周壁１０Ｂ、端面１０A及び端面１０Ｄが覆われているので、上記のような数の擬毛２０を取り付ければ、増毛具２を装着者の自毛に取り付けたとき、擬毛２０により管部材１０が露見されるのを効果的防ぐことができる。
基本的に擬毛２０により管部材１０が覆われているが、擬毛２０の本数が限られたり、管部材１０に取り付けられた擬毛２０がかたよったりした場合を考慮すると、管部材１０の外周面が擬毛に近似した色を有することが好ましい。これにより、仮に管部材１０の一部が擬毛２０で覆われていない状態が生じても、管部材１０が露見するのを抑制することができる。
塗装で管部材１０に擬毛に近似した色を着色することもできるし、擬毛に近似した色の材料（例えば、銅材料に茶系の擬毛）を用いることもできるし、その他の任意のコーティング方法で擬毛に近似した色を有するようにすることができる。
【００３３】
（結び目の形成方法）
擬毛２０を管部材１０に固定する結び目２４の形成方法としては、シングルパンダブル植え、ダブルシングル植え、パントリプル植え、シングル植え、パンダブル植え、シングルパンシングル植えをはじめとする既知の任意の結び方を採用することができる。
【００３４】
その中で、結び目２４がシングルパンダブル植えによるものである場合、結び目２４がほどけにくく、安定した高い固定力を得ることができる。
以下に図４を参照しながら、シングルパンダブル植えによる結び目２４の形成方法を説明する。図４は、シングルパンダブル植えによる結び目の形成方法を説明するための模式図である。
【００３５】
図４において、
（１）治具３０のフックに擬毛２０を掛けた状態で、
（２）治具３０を図面で右に倒して、
（３）Ｒ及びＬで示す左右両方の擬毛２０を一緒にフックに掛けてから、
（４）Ｒで示す右、Ｌで示す左の順番で擬毛２０を掛けて払い、
（５）Ｌで示す左の擬毛２０を持って、Ｒで示す右の擬毛２０を上に引いて、結び目を締める。
【００３６】
（増毛具の装着方法）
上記のような実施形態に係る増毛具２について、頭部に残存する自毛に対する装着方法の一例を、図５を参照しながら以下に説明する。図５は、本考案の実施形態に係る増毛具２の装着方法を説明するための模式図である。なお、図５では、説明の便宜上、管部材１０の大きさを実際よりもかなり大きく示している。また、説明を明確にするため、自毛および擬毛の本数は実際よりも少なく図示している。
【００３７】
図５に示すように、基本的に、結び目及び延在領域が存在しない端面１０Ｄ側から、管部材１０の中に自毛４０の束（例えば、１０〜１５本）を挿入する。そして、管部材１０を所望の位置に移動させ、プライヤー等の適当な手段で潰すように管部材１０を塑性変形させて固定する。これにより、上記のアンカー効果により、管部材１０を自毛４０に安定して固定することができる。つまり、増毛具２を安定して装着者の頭部に取り付けことができる。
【００３８】
更に、このような装着方法により、自毛における毛の流れ方向と、増毛具２の擬毛２０における毛の流れ方向が一致するので、自毛と擬毛とがより自然に混ざり合って、増毛具２を装着していることが露見しにくくなる。このとき、管部材１０は、周壁に巻き付けられた擬毛２０により覆われているので、管部材１０自体が露見しにくくなっている。
また、結び目及び延在領域が存在しない端面１０Ｄ側から、管部材１０の中に自毛を挿入するので、逆向きの結び目及び延在領域が存在する端面１０Ａ側から挿入する場合に比べて、自毛の挿入がより容易になる。
【００３９】
ただし、用途によっては、擬毛における毛の流れ方向を自毛における毛の流れ方向と逆にして、擬毛を屈曲させるスタイルが好ましいこともあり得る。そのような場合には、結び目及び延在領域が存在する端部１０Ａ側から、管部材１０の中に自毛の束を挿入することもあり得る。また、用途によっては、結び目及び延在領域が両方の端面１０Ａ、１０Ｄに存在する場合もあり得る。
【００４０】
図５では、増毛具２を１つだけ頭部に固定する状態を示しているが、残毛の程度および希望する増毛量に応じた数の増毛具が頭部に取り付けることができる。
【００４１】
以上のように、本発明の実施形態に係る増毛具２では、塑性変形可能な管部材１０と、管部材１０に取り付けられた複数の擬毛２０と、を備え、擬毛２０が、管部材１０の周壁に巻き付けられた巻付領域２２と、巻付領域２２に繋がった結び目２４と、結び目２４から外方へ延在し自由端に至る延在領域２６から構成されている。
【００４２】
これにより、管部材１０を頭部に残存した自毛に通した後、管部材１０を潰して塑性変形させることにより、増毛具２を頭部に高い固定力で安定して取り付けることができる。更に、管部材１０に巻き付けられた擬毛２０の巻付領域２２及び結び目２４によって、管部材１０の外周壁１０Ｂ、端面１０Ａ、１０Ｄを覆うことができるので、擬毛２０が持ち上がったような場合であっても、管部材１０が露見するのを防ぐことができる。
よって、安定した高い固定力で頭部へ取り付けることができ、かつ装着していることが露見されにくい増毛具２を提供することができる。
【００４３】
特に、管部材１０に取り付けられた擬毛２０の数が、擬毛２０により管部材１０の外周壁１０Ｂの略全領域が覆われ、かつ管部材１０の内部に装着者の自毛の束が挿入可能な空間を有する場合には、管部材１０が露見するのを効果的に防ぐとともに、確実に増毛具２を装着者の自毛に固定することができる。
【００４４】
本考案の実施の形態を説明したが、開示内容は構成の細部において変化してもよく、実施の形態における要素の組合せや順序の変化等は請求された本考案の範囲および思想を逸脱することなく実現し得るものである。
【符号の説明】
【００４５】
２      増毛具
１０    管部材
１０Ａ  端面
１０Ｂ  外周壁
１０Ｃ  内周壁
１０Ｄ  端面
２０    擬毛
２２    巻付領域
２４    結び目
２６    延在領域
２６Ａ  一方の延在領域
２６Ｂ  他方の延在領域
２８    捻れ領域
３０    治具
４０    自毛
【図１】
0003213956.tif 000003
【図２】
0003213956.tif 000004
【図３】
0003213956.tif 000005
【図４】
0003213956.tif 000006
【図５】
0003213956.tif 000007
【手続補正書】
【提出日】平成29年10月10日(2017.10.10)
【手続補正１】
【補正対象書類名】実用新案登録請求の範囲
【補正対象項目名】全文
【補正方法】変更
【補正の内容】
【実用新案登録請求の範囲】
【請求項１】
塑性変形可能な管部材と、
前記管部材に取り付けられた複数の擬毛と、
を備え、
前記擬毛が、前記管部材の周壁に巻き付けられた巻付領域と、前記巻付領域に繋がった結び目と、前記結び目から外方へ延在し自由端に至る延在領域から構成されることを特徴とする増毛具。
【請求項２】
前記管部材に取り付ける前記擬毛の数が、前記擬毛により前記管部材の外周壁の略全領域が覆われ、かつ前記管部材の内部に装着者の自毛の束が挿入可能な空間を有することを特徴とする請求項１に記載の増毛具。 
【請求項３】
前記結び目が管部材の端面上に位置していることを特徴とする請求項１または２に記載の増毛具。
【請求項４】
前記延在領域において、前記結び目に隣接して前記擬毛が捻られた捻れ領域を有することを特徴とする請求項１から３の何れか1項に記載の増毛具。
【請求項５】
前記結び目がシングルパンダブル植えによるものであることを特徴とする請求項１から４の何れか１項に記載の増毛具。
【請求項６】
前記管部材の外周面が、前記擬毛に近似した色を有することを特徴とする請求項１から５の何れか１項に記載の増毛具。